(57)【要約】【課題】  筐体サイズの更なる小型化と、ユーザが端末の状態を把握するための負担を軽減しつつ種々の端末操作を実現可能にする。【解決手段】  キーマトリクス３２は文字入力のために使用される複数のキーを備えている。制御部２０は、特定の一連のキー操作と、入力文字指定のためのアプリケーション処理以外の他のアプリケーション処理とを対応付けて内部メモリに登録している。そして、制御部２０は、キーマトリクス３２の各キーをユーザが操作することで特定の一連のキー操作の入力がなされたことを検出すると、その一連のキー操作に対応付けて登録されているアプリケーション処理を実行する。【選択図】  図２
2006332751.tif 000002
【特許請求の範囲】
【請求項１】
文字入力のために使用される複数のキー操作子と、
上記キー操作子の操作により指定された入力文字を表示する表示画面を備えた表示手段と、
上記キー操作子から入力される特定の一連のキー操作と、入力文字指定のためのアプリケーション処理以外の他のアプリケーション処理とを、対応付けて登録する登録情報保持手段と、
上記キー操作子から上記特定の一連のキー操作の入力がなされた時、当該特定の一連のキー操作に対応付けられて上記登録情報保持手段に登録されている上記他のアプリケーション処理を実行する制御手段とを有する
ことを特徴とする携帯端末。
【請求項２】
請求項１記載の携帯端末であって、
上記登録情報保持手段は、ユーザからの指示に応じて、上記特定の一連のキー操作と上記他のアプリケーション処理とを対応付けて登録することを特徴とする携帯端末。
【請求項３】
請求項１記載の携帯端末であって、
上記登録情報保持手段は、複数の特定の一連のキー操作の組み合わせと、上記他のアプリケーション処理とを対応付けて登録することを特徴とする携帯端末。
【請求項４】
請求項１記載の携帯端末であって、
上記キー操作子の操作検出時間を設定する操作検出時間設定手段を備え、
上記制御手段は、上記操作検出時間設定手段により設定された所定の操作検出時間を用いて、上記キー操作子からのキー操作が上記特定の一連のキー操作であるかを判定することを特徴とする携帯端末。
【請求項５】
請求項４記載の携帯端末であって、
上記操作検出時間設定手段は、ユーザからの指示に応じて操作検出時間を設定することを特徴とする携帯端末。
【請求項６】
請求項１記載の携帯端末であって、
上記制御手段は、上記キー操作子のキー操作に対応した文字を上記表示手段の表示画面上に表示し、上記キー操作子から上記特定の一連のキー操作が入力された時には、上記特定の一連のキー操作に対応して上記表示手段の表示画面に表示していた文字を消去して、上記他のアプリケーション処理を実行することを特徴とする携帯端末。
【請求項７】
文字入力のために使用される複数のキー操作子から入力される特定の一連のキー操作と、入力文字指定のためのアプリケーション処理以外の他のアプリケーション処理とを、対応付けて登録し、
上記キー操作子の操作により指定された入力文字を表示画面上に表示し、
上記キー操作子から上記特定の一連のキー操作の入力がなされた時、当該特定の一連のキー操作に対応付けられて登録されている上記他のアプリケーション処理を実行する
ことを特徴とする携帯端末の制御方法。
【請求項８】
文字入力のために使用される複数のキー操作子の操作により指定された入力文字を表示手段の表示画面上に表示させる表示制御手段と、
上記キー操作子から入力される特定の一連のキー操作と、入力文字指定のためのアプリケーション処理以外の他のアプリケーション処理とを、対応付けて登録情報保持手段に登録させる登録制御手段と、
上記キー操作子から上記特定の一連のキー操作の入力がなされた時、当該特定の一連のキー操作に対応付けられて上記登録情報保持手段に登録されている上記他のアプリケーション処理を実行するアプリケーション実行手段として、
携帯端末を機能させることを特徴とする制御プログラム。
【発明の詳細な説明】
【技術分野】
【０００１】
本発明は、例えば携帯電話端末のように、様々な種類の複数のアプリケーションを搭載している携帯端末に関し、特に、ユーザによるキー操作によって文字入力が可能となされた携帯端末とその携帯端末の制御方法及び制御プログラムに関する。
【背景技術】
【０００２】
従来より、携帯電話端末をはじめとする携帯端末においては、固定電話機などの固定端末とは異なり、高い携帯性能を有することが重要視されている。つまり、携帯端末は小型であることが求められている。一方で、近年の技術革新により、携帯端末には、例えば電子メールアプリケーションやスケジュール管理アプリケーション（スケジューラ）、メモ帳アプリケーションなど、様々な種類の複数のアプリケーションが搭載されるようになってきており、それら複数のアプリケーションの中には、当然、ユーザによる文字入力を伴うアプリケーションも数多く存在している。特に、上記文字入力を伴うアプリケーションにおいては、平仮名や片仮名、アルファベット、数字、記号等の様々な文字を、ユーザが迅速且つ容易に入力できることが望まれる。これらのことから、携帯端末に対しては小型化と文字入力の容易性の両立が求められている。
【０００３】
ところで、パーソナルコンピュータなどの情報処理端末の場合は、キーボード上のボタン（キー）の数を増やすことにより、様々なアプリケーションに対応することは容易である。これに対し、携帯端末の場合は、小型の筐体上の限られた面積内に配置できるキーの数には限りがあり、その一方で、上述したような様々なアプリケーションを実行するための各種操作をそれら限られた数のキーによって実現しなければならない。また、携帯端末は筐体サイズの小型化が進む一方で、人間の指の大きさはいつの時代も殆ど変化が無い。したがって、携帯端末の筐体上に搭載されるキーの大きさを小さくしたり、各キーの配置間隔を狭めることは難しい。このため、従来より、携帯端末においては、一つのキーに複数の特殊機能を集約させ、筐体上に設けるキー数を必要最小限に抑えつつ、それら必要最低限のキーによって色々な操作を実現可能にするような工夫が施されている。
【０００４】
なお、例えば特開２００２−２０２８４６号の公開特許公報（特許文献１）には、例えば送信メールの作成処理において、所定のキー「ＣＰ」が押下された場合に機能選択メニューを表示パネル上に表示させ、その機能選択メニューから文字列ペースト処理機能を選択して起動させ、予めメモリ内に登録されている文字列のデータ（ペーストデータ）の中から所望の文字列を選択し、その選択した文字列を所望の位置に貼り付けることにより、送信メール作成時における文字列の入力を簡略化する携帯端末の文字貼り付け方法が開示されている。
【０００５】
【特許文献１】特開２００２−２０２８４６号公報（第１図）
【発明の開示】
【発明が解決しようとする課題】
【０００６】
ところで、従来の携帯端末では、上述したように、一つのキーに複数の特殊機能を集約させ、筐体上に設けるキー数を必要最小限に抑えつつ、それらキーを用いて様々な操作を実現可能としているが、この方法の場合は、一つのキーに対して次々と新機能が追加されていくことになる。このため、ユーザは、各キーにどのような機能が割り当てられているのかを憶えていなければならなくなる。また、実際に携帯端末を操作する場合、ユーザは、操作を行う度に、その時点での端末の状態を常に意識していなければならず、今そのキーを押下操作することで次にどのような動作が起こるかを常に把握しながら操作を行わなければならない。
【０００７】
特に、文字入力を伴うアプリケーションが起動している場合には、殆どのキーに入力文字を指定するための機能が割り当てられてしまい、例えば、その入力文字の指定以外の他の機能を別途割り当てることのできるキーが残っていないような場合、当該他の機能に関連する操作を行うためには、各キーへの割り当てを、上記入力文字の指定機能から上記他の機能へ切り替えなければならない。勿論、上記他の機能への割り当ての切り替えを行った後、再度文字入力を行うためには、それら各キーの割り当てを元の入力文字指定機能に戻さなければならない。なお、上記他の機能としては、例えば、予測変換候補の選択のための機能や、入力済みの文字を削除する機能、入力済みの文字列の途中に新たな文字を挿入する機能、入力する文字を平仮名，片仮名，英数字，記号，全角文字，半角文字などの何れにするかを決めるための文字入力モード決定機能などが考えられる。
【０００８】
したがって、上述のような文字入力を伴うアプリケーションの場合は特に、限られたキーで多くの機能を簡単に操作できることが望まれる。
【０００９】
また、文字入力を伴うアプリケーションにおいて、例えば所望の文章を速やかに作成したいような場合、ユーザは、短時間に多くのキー操作を行わなければならない。しかしながら、例えば、平仮名と片仮名や英数字，記号等が混在した文章や、全角文字と半角文字が混在するような文章を入力するような場合には、それら入力すべき文字に対応した文字入力モードへの切り替えを頻繁に行わなければならない。
【００１０】
なお、上述した特開２００２−２０２８４６号の公開特許公報に記載されているように、繰り返し使う言い回しの文字列などを予め登録しておき、その文字列を必要に応じて呼び出すことで、それら文字列の各文字を毎回入力する手間を省く技術も既に従来から使用されているが、この技術の場合、文字を入力するためのキー以外の特殊キーの操作が必要となる。また、この特殊キーの機能は機種毎に異なっており、したがって、ユーザは、機種を代える度に特殊キーの機能の意味を確認しなければならない。
【００１１】
本発明は、このような実情に鑑みて提案されたものであり、筐体上に搭載されるキー数を、少なくとも文字入力機能を実現するための必要最小限の数として更なる小型化を実現すると共に、一つのキーに対して割り当てられる機能数を減らして、ユーザが端末の状態を把握するための負担を軽減しつつ、それら必要最低限のキーによって種々の端末操作を実現可能にする携帯端末とその携帯端末の制御方法及び制御プログラムを提供することを目的とする。
【課題を解決するための手段】
【００１２】
本発明の携帯端末は、文字入力のために使用される複数のキー操作子と、キー操作子の操作により指定された入力文字を表示する表示画面を備えた表示手段と、キー操作子から入力される特定の一連のキー操作と入力文字指定のためのアプリケーション処理以外の他のアプリケーション処理とを対応付けて登録する登録情報保持手段と、キー操作子から特定の一連のキー操作の入力がなされた時、その特定の一連のキー操作に対応付けられて登録情報保持手段に登録されている他のアプリケーション処理を実行する制御手段とを有することにより、上述した課題を解決する。
【００１３】
また、本発明の携帯端末の制御方法は、文字入力のために使用される複数のキー操作子から入力される特定の一連のキー操作と入力文字指定のためのアプリケーション処理以外の他のアプリケーション処理とを対応付けて登録し、キー操作子の操作により指定された入力文字を表示画面上に表示し、キー操作子から特定の一連のキー操作の入力がなされた時、当該特定の一連のキー操作に対応付けられて登録されている他のアプリケーション処理を実行することにより、上述した課題を解決する。
【００１４】
また、本発明の携帯端末の制御プログラムは、文字入力のために使用される複数のキー操作子の操作により指定された入力文字を表示手段の表示画面上に表示させる表示制御手段と、キー操作子から入力される特定の一連のキー操作と入力文字指定のためのアプリケーション処理以外の他のアプリケーション処理とを対応付けて登録情報保持手段に登録させる登録制御手段と、キー操作子から特定の一連のキー操作の入力がなされた時、当該特定の一連のキー操作に対応付けられて登録情報保持手段に登録されている他のアプリケーション処理を実行するアプリケーション実行手段として、携帯端末を機能させることにより、上述した課題を解決する。
【００１５】
すなわち、本発明によれば、文字入力のために使用される複数のキー操作子から入力される特定の一連のキー操作と、入力文字指定のためのアプリケーション処理以外の他のアプリケーション処理とを対応付けて登録しておき、キー操作子から特定の一連のキー操作が入力された時に、それに対応したアプリケーション処理を実行することにより、文字入力機能を実現するための必要最小限の数のキーを用いて、文字入力以外の処理を実行可能としている。
【発明の効果】
【００１６】
本発明においては、特定の一連のキー操作とアプリケーション処理とを対応付けておき、特定の一連のキー操作が入力された時にそのアプリケーション処理を実行することにより、筐体上に搭載されるキー数を少なくとも文字入力機能を実現するための必要最小限の数として更なる小型化を実現することができる一方で、一つのキーに対して割り当てられる機能数を減らしてユーザが端末の状態を把握するための負担を軽減することができ、また、それら必要最低限のキーによって種々の端末操作を実現することができる。
【発明を実施するための最良の形態】
【００１７】
以下、図面を参照しながら、本発明の携帯端末とその携帯端末の制御方法及び制御プログラムの一実施形態について説明する。
【００１８】
なお、本実施形態では、本発明の携帯端末の一例として、携帯電話端末を挙げているが、勿論、ここで説明する内容はあくまで一例であり、本発明はこの例に限定されないことは言うまでもない。
【００１９】
〔携帯電話端末の外観構成〕
図１には、本実施形態の携帯電話端末１の概略的な外観構成例を示す。
【００２０】
本実施形態の携帯電話端末１は、例えば液晶ディスプレイにより構成された表示部２、受話用のスピーカ３、送話用のマイクロホン５、電話番号や文字等を入力するためのテンキー（１２キー）、発話キー（発信キー）、クリアキー、終話／電源キーなど、少なくとも通話と文字入力とに用いられる必要最小限のキー４を搭載した小型の端末である。
【００２１】
なお、図示は省略しているが、本実施形態の携帯電話端末１の筐体背面側（液晶ディスプレイ２側に対して背面側）には、カメラ部、当該カメラ部にて撮影する際の撮影補助光を発光する撮影補助ライト等が備えられている。また、本実施形態の携帯電話端末１において、通常の携帯電話端末が備えている回路構成やその他の構成の図示及びその説明については省略する。また、図１にはいわゆるストレート型の携帯電話端末を図示しているが、本発明にかかる携帯電話端末は、例えばいわゆる折り畳み型等の他のタイプであっても良い。
【００２２】
〔携帯電話端末の内部ブロック構成〕
図２には、本発明実施形態の携帯電話端末の概略的な内部構成を示す。
【００２３】
アンテナ１１は、例えば内蔵アンテナであり、通話やパケット通信のための信号電波の送受信を行う。
【００２４】
上記アンテナ１１を通じて受信された受信信号は、アンテナ共用器１２を介して受信復調部１３に供給される。
【００２５】
受信復調部１３は、供給された受信信号のレベル調整や帯域制限、復調などの処理を行うＲＦ回路を備えている。この受信復調部１３のＲＦ回路での処理により得られたベースバンド信号は、Ａ／Ｄ変換処理によりディジタルデータに変換されてから受信データ復号部１４へ供給される。
【００２６】
受信データ復号部１４は、受信復調部１３からの受信データの復号処理を行い、送信側にて符号化及び圧縮を行う以前の元のデータを復元する。当該復号されたデータは、制御部１５に供給される。
【００２７】
一方、データ送信が行われる場合、制御部１５にて作成された送信データは、送信データ符号化部１６に供給される。
【００２８】
送信データ符号化部１６は、上記送信データを所定の符号化方式にて符号化して圧縮して送信変調部１７へ供給する。
【００２９】
送信変調部１７では、送信データ符号化部１６から供給された送信データをＤ／Ａ変換によりアナログ送信信号に変換して内部のＲＦ回路へ供給する。当該送信変調部１７のＲＦ回路では、上記アナログ送信信号に変調処理を施し、さらに所定の送信周波数への周波数変換を行った後、必要な送信電力への増幅を行う。
【００３０】
そして、当該送信変調部１７から出力された送信信号は、アンテナ共用器１２を経由してアンテナ１１から放射（送信）される。
【００３１】
制御部１５は、ＣＰＵ（Central Processing Unit）、ＲＯＭ（Read Only Memory）、ＲＡＭ（Random Access Memory）、ＮＡＮＤ型フラッシュメモリ（NAND-type flash memory）或いはＥＥＰＲＯＭ（Electrically Erasable Programmable Read-Only Memory）などを備え、ＲＯＭに蓄積されているプログラムに基づいて、前記キー４等の入力部１８、液晶ディスプレイ等の表示部１９（図１の表示部２）、外部メモリなどからなるデータ格納部２０、通話時の音声やリンガ音，アラーム音，オーディオコンテンツ再生音などを出力するためのスピーカ２１（図１のスピーカ３は通話音声用）、通話時の音声を集音するためのマイクロホン２２（図１のマイクロホン５）、ＬＥＤ（Light Emitting Diode）などの着信を通知するための着信通知部２３などを制御する。なお、ＮＡＮＤ型フラッシュメモリやＥＥＰＲＯＭは、例えば文字変換用の辞書情報や電話帳，アドレス帳の情報、後述する本発明実施形態にかかる操作登録辞書情報など、当該携帯電話端末１の電源がＯＦＦにされても保持されるべき情報を記憶し、次の電源ＯＮ時に、それら情報を使用可能にするための書き換え可能なメモリである。
【００３２】
また、入力部１８には、キースキャンブロック３０が接続されている。そして、上記キースキャンブロック３０には、スキャンタイミングジェネレータ３１とキーマトリクス３２が接続されている。キーマトリクス３２は、図１の各キー４に対応したキースイッチからなる。キースキャンブロック３０は、通常は、キーマトリクス３２から供給される情報のみで、押下操作されたキーを判定することができるが、本実施形態では、更にスキャンタイミングジェネレータ３１が発生するキャプチャイネーブル信号のタイミングのみにて、押下操作されたキーを判定する機能も備えている。なお、本実施形態のキースキャンブロック３０におけるキーの押下操作のタイミング判定機能の詳細については後述する。
【００３３】
〔操作登録機能〕
本実施形態の携帯電話端末は、予めユーザにより登録された特定の文字列が入力部１８を介して入力された時や、或る文字が割り当てられているキーに対して予めユーザにより登録された特定の入力操作が入力部１８を介して入力された時、言い換えれば、特定の文字列に対応した一連のキー操作や、或るキーに対する特定の一連のキー操作がなされた時に、その一連のキー操作に対応付けて予め登録してある他のアプリケーション処理を実行する機能を備えている。なお、ここで、上記他のアプリケーション処理とは、キー操作により入力文字を指定するためのアプリケーション処理以外の他のアプリケーション処理や、文字入力に関連しない各アプリケーション処理のことを言う。特に、上記入力文字を指定するアプリケーション処理以外の他のアプリケーション処理としては、例えば、予測変換候補の選択のためのアプリケーション処理や、入力済みの文字を削除するためのアプリケーション処理、入力済みの文字列の途中に新たな文字を挿入するためのアプリケーション処理、入力する文字を平仮名，片仮名，英数字，記号，全角文字，半角文字などの何れにするかを決めるための文字入力モード決定のためのアプリケーション処理などが考えられる。また、文字入力に関連しないアプリケーション処理としては、電子メールを送信するアプリケーション処理や、表示部１９の出力画面を前画面に戻すアプリケーション処理、カメラ機能を起動させたり画像を撮影するためのアプリケーション処理など、文字入力を伴わない各種のアプリケーション処理が考えられる。
【００３４】
したがって例えば、特定の文字列に対応する一連のキー操作と、文字入力モードを片仮名文字入力モードへの切り替えアプリケーション処理とが対応付けられて予め登録されているような場合、本実施形態の携帯電話端末は、文字入力中に、その一連のキー操作がなされると、現在の文字入力モードを片仮名文字入力モードの切り替える処理を行う。また例えば、特定の文字列に対応する一連のキー操作と、電子メールアプリケーションにおけるメール送信アプリケーション処理とが対応付けられて予め登録されているような場合、本実施形態の携帯電話端末は、文字入力中に、その一連のキー操作がなされると、既に入力が確定している文章からなる電子メールを所望の宛先へ送信するようなアプリケーション処理を実行する。また例えば、或るキーに対する特定の一連のキー操作と、英数字文字入力モードへの切り替えアプリケーション処理とが対応付けられて予め登録されているような場合、本実施形態の携帯電話端末は、文字入力中に、その一連のキー操作がなされると、文字入力モードを英数字文字入力モードの切り替える処理を行う。また例えば、或るキーに対する特定の一連のキー操作と、前画面へ戻るアプリケーション処理とが対応付けられて予め登録されているような場合、本実施形態の携帯電話端末は、文字入力中に、その一連のキー操作がなされると、現在の表示画面の直前に表示していた画面への表示切り替えるようなアプリケーション処理を実行する。
【００３５】
なお、上記一連のキー操作に対応付けられて登録される各アプリケーション処理は一例であり、本発明はこの例に限定されるものではない。
【００３６】
図３には、ユーザによる一連のキー操作が登録される際の表示部２（図２の表示部１９）の出力画面例を示す。また、図４には、キー操作の種別とそれを表す記号との対応表を示す。
【００３７】
これら図３及び図４の例において、最初の第１番目（１ｔｈ）の操作では、「あ」の文字が割り当てられている「あ」キーを一回押し（シングルクリック（Ｓ−ＣＬＫ））、次の第２番目（２ｎｄ）の操作では、「か」の文字が割り当てられている「か」キーを一定時間内に２度押し（ダブルクリック（Ｄ−ＣＬＫ））、最後の第３番目（３ｔｈ）の操作では、「さ」の文字が割り当てられている「さ」キーを１秒間長押し（ＰＨＳ−１）するような一連のキー操作が、「操作Ｈ」として登録された場合の出力画面例を示している。
【００３８】
なお、本実施形態では、一連のキー操作として例えば６回のキー操作を登録可能となされているが、図３は、そのうち３回のキー操作のみを登録する例を示している。
【００３９】
図５には、ユーザによる一連のキー操作が複数登録される際の表示部２の出力画面例を示す。
【００４０】
この図５に示した例の場合、「操作Ｈ１」として、最初の第１番目（１ｔｈ）の操作では、「あ」の文字が割り当てられている「あ」キーを一回押し、次の第２番目（２ｎｄ）の操作では、「＊」の文字が割り当てられている「＊」キーを一回押すような、一連のキー操作が登録され、また、「操作Ｈ２」として、最初の第１番目（１ｔｈ）の操作では、「あ」の文字が割り当てられている「あ」キーを一回押し、次の第２番目（２ｎｄ）の操作では、一定時間何もキー操作がなされず、その後の第３番目（３ｔｈ）の操作では、「あ」の文字が割り当てられている「あ」キーを一回押すような一連のキー操作が登録され、また、「操作Ｈ３」として、最初の第１番目（１ｔｈ）の操作では、「あ」の文字が割り当てられている「あ」キーを一回押し、次の第２番目（２ｎｄ）の操作では、「あ」の文字が割り当てられている「あ」キーを一回押し、さらに第３番目（３ｔｈ）の操作では、「あ」の文字が割り当てられている「あ」キーを一回押し、最後の第４番目（４ｔｈ）の操作では、「あ」の文字が割り当てられている「あ」キーを一回押すような一連のキー操作が登録された場合の出力画面例を示している。
【００４１】
なお、携帯電話端末の文字入力方式には、一つのキーを繰り返し押すと、そのキーに割り当てられている複数の文字が順番に指定されるような方式、すなわち例えば、「あ行」の各文字が一つのキーに割り当てられている場合に当該キーを繰り返し押すと「あ」→「い」→「う」→「え」→「お」→「あ」のように順番に指定されるようなトグル方式がある。このようなトグル方式を採用している携帯電話端末の場合、本実施形態では、例えば上記ダブルクリック（Ｄ−ＣＬＫ）機能を用いることにより、例えば上記「操作Ｈ３」のように同じ「あ」キーを４回押すような一連のキー操作を実現することがきる。すなわち、上記トグル方式を採用している携帯電話端末において、例えば「あ」キーが一定時間内に２度押下操作（ダブルクリック操作）されたときには、上記「あ」→「い」のような文字のトグル（切り替え）を行わないようにする。或いは、例えば「あ」キーが一定時間長押しされた時に「い」、さらにそのキーが一定時間長押しされた時に「う」というように自動的にトグルするようにし、「あ」キーが長押しされなかった時には、上記「あ」→「い」のような文字のトグルを行わないようにしても良い。その他にも、トグルするのは、漢字変換候補や予測変換機能の自動次ページ送りであっても良い。
【００４２】
図６には、ユーザによる一連のキー操作をキースキャンブロック３０が検出する際のスキャンタイミングを、ユーザが指定する際の表示部２の出力画面例を示している。
【００４３】
この図６の例のように、スキャンタイミングが１０００ｍｓに指定された場合、スキャンタイミングジェネレータ３１からは、１０００ｍｓ毎に立ち上がりエッジがくるキャプチャイネーブル信号が出力される。したがって、キースキャンブロック３０では、当該スキャンタイミングジェネレータ３１からのキャプチャイネーブル信号の立ち上がりエッジのタイミングでキースキャンを行うことになる。
【００４４】
すなわち本実施形態の携帯電話端末によれば、ユーザによる一連のキー操作をキースキャンブロック３０が検出するためのスキャンタイミング（つまり操作検出時間）を任意に設定可能となされており、ユーザは、当該スキャンタイミングを設定することで、キー操作における上記ダブルクリックの検出時間やキー長押し検出時間を任意に決定可能となされている。
【００４５】
図７には、図１のスキャンタイミングジェネレータ３１とキーマトリクス３２の出力波形の一例を示している。なお、この図７の出力波形は、「あ」キーの押下検出→キー操作未検出→「あ」キーの押下検出→キー操作未検出のキースキャン結果をキースキャンブロック３０が得た例を示している。
【００４６】
当該キースキャンブロック３０によるキースキャン結果の情報は、入力部１８を介して制御部１５へ送られることになる。したがって、制御部１５は、そのキースキャン結果を受け取ることで、ユーザによって図５の「操作Ｈ２」の一連のキー操作が行われたことを検出できることになる。
【００４７】
その他、図７では図示を省略しているが、キースキャンブロック３０から「あ」キーの押下検出→「＊」キーの押下検出→キー操作未検出のキースキャン結果を得た場合、制御部１５は、図５の「操作Ｈ１」の一連のキー操作が行われたことを検出でき、また、キースキャンブロック３０から「あ」キーの押下検出→「あ」キーの押下検出→「あ」キーの押下検出→「あ」キーの押下検出→キー操作未検出のキースキャン結果を得た場合、制御部１５は、図５の「操作Ｈ３」の一連のキー操作が行われたことを検出できることになる。
【００４８】
次に、図８には、ユーザによる一連のキー操作、若しくは複数の一連のキー操作の組み合わせに対応して登録される、前記入力文字指定以外の他のアプリケーション処理の分類と種別の具体例、すなわち、ユーザが一連のキー操作若しくはその組み合わせを行った場合に得られる効果（一連のキー操作に対応して実行される処理）の分類と種別の具体例を示す。
【００４９】
本実施形態では、この図８の例に示すように、一連のキー操作若しくはそれらの組み合わせにより得られる効果の分類例として、「文字入力」と「入力モード切り替え」と「アプリケーション操作」を挙げており、また、一連のキー操作若しくはそれらの組み合わせにより得られる効果の種別として、上記効果分類の「文字入力」については「文字列」の効果種別を、上記効果分類の「入力モード切り替え」については「漢字」（漢字文字入力モード）と「ひらがな」（平仮名文字入力モード）と「カタカナ」（片仮名文字入力モード）と「英数字」（英数字文字入力モード）の各効果種別を、上記効果分類の「アプリケーション操作」については「メール送信」（電子メール送信のアプリケーション処理）と「メール転送」（電子メール転送のアプリケーション処理）と「入力キャンセル」（入力キャンセルのアプリケーション処理）と「前画面に戻る」（前画面に戻るアプリケーション処理）の各効果種別を挙げている。
【００５０】
また、図９と図１０には、図８に示した幾つかの効果分類及び効果種別に対応させて一連のキー操作を登録する場合の表示部２の出力画面例を示している。
【００５１】
図９の例では、上記効果分類として「文字入力」が選択され、上記効果種別として「あいうえお」の文字列が選択されており、これら効果を得るための操作を「操作Ｈ１」として定義し、さらにそれらを「登録Ｒ１」として操作登録辞書に登録する場合の出力画面例を示している。すなわちこの「登録Ｒ１」が操作登録辞書に登録された場合、本実施形態の携帯電話端末は、ユーザから一連のキー操作として上記「操作Ｈ１」の操作がなされた時、その一連のキー操作の入力に対応する効果として、「あいうえお」の文字入力処理を実行する。
【００５２】
また、図９の例では、上記効果分類として「入力モード」が選択され、上記効果種別として「カタカナ」が選択されており、これら効果を得るための操作を「操作Ｈ１」と「操作Ｈ２」の組み合わせとして定義し、さらにそれらを「登録Ｒ２」として操作登録辞書に登録する場合の出力画面例を示している。すなわちこの「登録Ｒ２」が操作登録辞書に登録された場合、本実施形態の携帯電話端末は、ユーザから一連のキー操作として「操作Ｈ１」と「操作Ｈ２」の操作が続けてなされた時に、それら一連のキー操作の組み合わせの入力に対応する効果として、文字入力モードを片仮名文字入力モードへ切り替える処理を実行する。
【００５３】
また、図１０の例では、上記効果分類として「アプリ（アプリケーション操作）」が選択され、上記効果種別として「メール送信」のアプリケーション処理が選択されており、これら効果を得るための操作を「操作Ｈ２」として定義し、さらにそれらを「登録Ｒ３」として操作登録辞書に登録する場合の出力画面例を示している。すなわちこの「登録Ｒ３」が操作登録辞書に登録された場合、本実施形態の携帯電話端末は、ユーザから一連のキー操作として「操作Ｈ２」の操作がなされた時に、その一連のキー操作の入力に対応する効果として、電子メールの送信のアプリケーション処理を実行する。
【００５４】
また、図１０の例では、上記効果分類として「アプリ（アプリケーション操作）」が選択され、上記効果種別として「前画面（前画面に戻る）」のアプリケーション処理が選択されており、これら効果を得るための操作を「操作Ｈ３」と「操作Ｈ３」の組み合わせとして定義し、さらにそれらを「登録Ｒ４」として操作登録辞書に登録する場合の出力画面例を示している。すなわちこの「登録Ｒ４」が操作登録辞書に登録された場合、本実施形態の携帯電話端末は、ユーザから一連のキー操作として「操作Ｈ３」と「操作Ｈ３」の操作が続けてなされた時に、それら一連のキー操作の組み合わせの入力に対応する効果として、表示部２の画面を直前の画面（前画面）に戻すようなアプリケーション処理を実行する。
【００５５】
〔一連のキー操作とそれに対応する効果の具体例〕
以下、上述の図５〜図１０で説明したように、一連のキー操作が登録Ｒ１〜登録Ｒ４として操作登録辞書に登録されているような場合において、ユーザによりキー操作がなされた場合の実際の効果について、図１１〜図２０の出力画面例を参照しながら説明する。
【００５６】
先ず、図１１には、電子メールの入力アプリケーションが起動し、画面上にメール本文入力エリア４０が表示されているときの表示部２の出力画面例を示している。すなわちこの図１１の例では、メール本文入力エリア４０内に「こんにちは。」までの文字列が既に入力され、その後、ユーザにより「あ」キーが押下され、それに続いて「＊」キーが押下された時の出力画面例を示している。なお、メール本文入力エリア４０内で下線が付けられた文字は、入力中の未確定文字４１を表しており、その未確定文字４１の左端の縦線はカーソル４２を表している。
【００５７】
ここで、本実施形態の携帯電話端末の操作登録辞書には、前述の図５で説明したように、「あ」キー押下とそれに続く「＊」キー押下からなる一連のキー操作に対しては「操作Ｈ１」が登録されており、また、前述の図９で例示したように、「操作Ｈ１」に対しては「登録Ｒ１」の効果分類及び効果種別が登録されている。このため、本実施形態の携帯電話端末は、図１１のようにユーザから「あ」キー押下とそれに続く「＊」キー押下の一連のキー操作が入力された場合には、図１２に示すように、「あいうえお」の文字列をメール本文入力エリア４０内に未確定文字列４１として表示する。また、本実施形態の携帯電話端末は、ユーザからの一連のキー操作に基づいて図１２に示すように「あいうえお」の文字列を未確定文字列４１として表示した場合、図１１にてユーザから入力された一連のキー操作に対応する「あ」と「＊」の文字については消去して画面上に表示しない。
【００５８】
なお、本実施形態において、上記「登録Ｒ１」等のような操作登録辞書の登録情報は、図１３に示すように、例えばいわゆる予測変換候補の一つとして予測変換候補表示エリア４３内に表示しても良い。すなわち、予測変換候補表示エリア４３は、文字入力中の未確定文字に基づいて、ユーザがこれから入力しようとしている文字を予測（類推）した文字候補群が表示されるエリアであり、本実施形態の携帯電話端末は、それら予測文字候補の一つとして上記「登録Ｒ１」等の登録情報を表示する。したがって、その予測変換候補表示エリア４３から例えば「登録Ｒ１」の予測候補がユーザにより選択された場合には、図１４に示すように、当該「登録Ｒ１」に対応して登録されている「あいうえお」の文字列がメール本文入力エリア４０内に未確定文字列４１として表示されることになる。
【００５９】
また他の例として、図１５に示すように、ユーザにより「あ」キーが押下され、それに続いて「＊」キーが押下され、さらに「あ」キーが押下された後、１秒間経過してから再度「あ」キーが押下されるような一連のキー操作がなされたとする。
【００６０】
ここで、本実施形態の携帯電話端末の操作登録辞書には、前述の図５で説明したように、「あ」キー押下とそれに続く「＊」キー押下の一連のキー操作に対しては「操作Ｈ１」が登録されており、また、「あ」キー押下と１秒間の未入力と「あ」キーの再押下とからなる一連のキー操作に対しては「操作Ｈ２」が登録されており、さらに、前述の図９で例示したように、「操作Ｈ１」と「操作Ｈ２」の組み合わせに対しては「登録Ｒ２」の効果分類及び効果種別が登録されている。このため、本実施形態の携帯電話端末は、図１５のようにユーザから「あ」キー押下及び「＊」キー押下の一連のキー操作と、それに続いて「あ」キー押下と１秒間の未入力と「あ」キー押下とからなる一連のキー操作が入力された場合には、図１６に示すように、文字入力モードを片仮名文字入力モードに切り替える。なお、図１６の例は、文字入力モードが片仮名文字入力モードに切り替わったことを表示するために、文字入力モード表示エリア４８内で「ア」の文字が例えばハイライト表示されている状態を示している。また、本実施形態の携帯電話端末は、ユーザからの一連のキー操作に基づいて図１６に示すように文字入力モードの切り替えを行った場合、図１５でユーザから入力された一連のキー操作に対応する「あ」、「＊」、「あ」、「あ」の各文字については消去して画面上に表示しない。
【００６１】
また、他の例として、図１７に示すように、ユーザにより「あ」キーが押下された後、１秒間経過してから再度「あ」キーが押下されるような一連のキー操作がなされたとする。
【００６２】
ここで、本実施形態の携帯電話端末の操作登録辞書には、前述の図５で説明したように、「あ」キー押下と１秒間の未入力と「あ」キー押下とからなる一連のキー操作に対しては「操作Ｈ２」が登録されており、また、前述の図１０で例示したように、「操作Ｈ２」に対しては「登録Ｒ３」の効果分類及び効果種別が登録されている。このため、本実施形態の携帯電話端末は、図１７のようにユーザから「あ」キー押下と１秒間の未入力と「あ」キー押下とからなる一連のキー操作が入力された場合には、図１８に示すように、電子メールの送信のアプリケーション処理を実行する。なお、図１８には、電子メールの送信中であることを示す送信ウィンドウ４４が表示されている例を示している。また、本実施形態の携帯電話端末は、ユーザからの一連のキー操作に基づいて図１８に示すように電子メールの送信アプリケーション処理を実行した時には、図１７でユーザから入力された一連のキー操作に対応する「あ」、「あ」の各文字については消去して画面上に表示しない。
【００６３】
さらに他の例として、図１９に示すように、「あ」キーを４回押下する一連のキー操作が２回続けられたとする。
【００６４】
ここで、本実施形態の携帯電話端末の操作登録辞書には、前述の図５で説明したように、「あ」キー押下が４回行われる一連のキー操作に対しては「操作Ｈ３」が登録されており、また、前述の図１０で例示したように、「操作Ｈ３」と「操作Ｈ３」の組み合わせに対しては「登録Ｒ４」の効果分類及び効果種別が登録されている。このため、本実施形態の携帯電話端末は、図１９のようにユーザから「あ」キーを４回押下する一連のキー操作が２回続けられた場合には、図２０に示すように、電子メール本文の入力画面の一つ前の画面へ戻るアプリケーション処理を実行する。なお、図２０には、前画面の例として、画面上に電子メール宛先と電子メール件名と電子メール本文の各ウィンドウが表示された画面を示している。また、本実施形態の携帯電話端末は、ユーザからの一連のキー操作に基づいて図２０に示すように前画面へ戻るアプリケーション処理を実行した時には、図１９でユーザから入力された一連のキー操作に対応する各文字を消去して画面上に表示しない。
【００６５】
なお、前述した図１１や図１３、図１５、図１７、図１９において、ユーザにより一連のキー操作が入力され、その一連のキー操作が操作登録辞書に登録されている場合、それら一連のキー操作により得られる効果を表示部２の画面上に表示すること、すなわち、図９や図１０に示したような効果に関する表示用の別ウィンドウを、それら図１１、図１３、図１５、図１７、図１９の画面上に表示することを行っても良い。
【００６６】
〔制御部の処理フローチャート〕
図２１には、上述したような一連のキー操作が操作登録辞書へ登録されるまでの流れを示す。なお、この図２１のフローチャートの処理は、ＲＯＭに記憶されている本発明にかかる制御プログラムに基づき、図２のキースキャンブロック３０からの情報を用いて制御部１５が行う処理である。
【００６７】
図２１において、例えば、本実施形態の携帯電話端末の動作モードが、一連のキー操作の登録に関する動作モードになされている場合において、制御部１５は、ステップＳ１１の処理として、ユーザにより、一連のキー操作を操作登録辞書へ登録する旨の指示がなされたか否かを判断しており、操作登録辞書への登録指示がなされたときにはステップＳ１２へ処理を進める。
【００６８】
ステップＳ１２の処理に進むと、制御部１５は、ユーザから一連のキー操作が入力されるとと共に効果分類や効果種別の入力がなされた時、それら一連のキー操作と効果分類や効果種別を操作登録辞書に登録する処理を行う。
【００６９】
一方、ステップＳ１１にてＮｏと判断されてステップＳ１３の処理に進んだ場合、制御部１５は、ユーザにより、操作登録辞書の登録指示がなされたか否かを判断し、操作登録辞書の登録指示がなされたときにはステップＳ１４へ処理を進め、それ以外の時にはこの図２１のフローチャートの処理を終了する。
【００７０】
上記ステップＳ１３からステップＳ１４の処理に進んだ場合、制御部１５は、その操作登録辞書を登録した後、この図２１のフローチャートの処理を終了する。
【００７１】
次に、図２２には、図２１のフローチャートの処理により、一連のキー操作等が操作登録辞書へ登録された後の制御部１５の処理の流れを示す。この図２２の処理も、ＲＯＭに記憶されている本発明にかかる制御プログラムに基づき、図２のキースキャンブロック３０からの情報を用いて制御部１５が行う。
【００７２】
図２２において、ステップＳ１５の処理として、例えば電子メール本文の入力やメモ帳の編集など、文字入力を受け付けるアプリケーションが起動すると、制御部１５は、ステップＳ１６へ処理を進める。
【００７３】
ステップＳ１６の処理に進むと、制御部１５は、ユーザからの文字入力が完了したか否か判断しており、文字入力が完了した場合にはステップＳ１７にて文字入力を受け付けるアプリケーションを停止させた後、ステップＳ１５の前段に処理を戻す。一方、ユーザからの文字入力が継続されている場合には、制御部１５は、ステップＳ１６からステップＳ１８へ処理を進める。
【００７４】
ステップＳ１８に進むと、制御部１５は、ユーザからキー操作により入力される文字を受け付け、次いで、ステップＳ１９の処理として、その入力文字に対応する一連のキー操作が操作登録辞書に登録されているか否かの判定を行う。当該ステップＳ１９において、一連のキー操作が操作登録辞書に登録されていないと判断した場合には、その一連のキー操作に対応した文字或いは文字列を、入力文字或いは入力文字列として扱い、ステップＳ１６へ処理を戻す。一方、ステップＳ１９にて、一連のキー操作が操作登録辞書に登録されていると判断した場合、制御部１５は、ステップＳ２０へ処理を進める。
【００７５】
ステップＳ２０の処理に進むと、制御部１５は、上記一連のキー操作の前記登録Ｒ１やＲ２等の登録番号に応じた効果を実行、つまり、その一連のキー操作に対応付けて予め登録してある前記他のアプリケーション処理を実行する。その後、制御部１５は、ステップＳ１６へ処理を戻す。
【００７６】
〔まとめ〕
本実施形態の携帯電話端末によれば、予め登録した特定の文字列、すなわち予め登録した一連のキー操作入力がなされた時に、その一連のキー操作に対応つけて操作登録辞書に登録されている前記他のアプリケーション処理を実行するようになされているため、筐体上に搭載されているキー数が文字入力機能を実現するための必要最小限の数であったとしても、それらキーを用いた簡単な入力操作のみで、入力文字指定以外の他のアプリケーション処理、種々の端末操作を実現でき、ユーザの利便性を大幅に高めることが可能となっている。
【００７７】
また、本実施形態の携帯電話端末によれば、筐体に搭載されるキー数を、文字入力機能を実現する必要最小限の数に抑えることができるため、筐体サイズをより小型化することが可能となっている。
【００７８】
さらに、本実施形態の携帯電話端末によれば、各キーに対して割り当てられる機能は少なくとも文字入力に関連する機能のみとなされており、一つのキーに対して割り当てられる機能数が少ないため、ユーザは端末の状態を容易に把握することが可能となる。
【００７９】
なお、上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【００８０】
本実施形態の携帯端末は、携帯電話端末に限定されず、例えばＰＤＡ（Personal Digital Assistant）や、カーナビゲーション装置，携帯型テレビゲーム装置、テレビジョン受像機のリモートコントローラ等の各種の携帯端末にも適用可能である。
【図面の簡単な説明】
【００８１】
【図１】本発明実施形態の携帯電話端末の概略的な外観構成を示す外観図である。
【図２】本発明実施形態の携帯電話端末の概略的な内部回路構成を示すブロック図である。
【図３】ユーザによる一連のキー操作が登録される際の表示部の出力画面例を示す図である。
【図４】キー操作の種別とそれを表す記号との対応表を示す図である。
【図５】ユーザによる一連のキー操作が複数登録される際の表示部の出力画面例を示す図である。
【図６】ユーザによる一連のキー操作をキースキャンブロックが検出する際のスキャンタイミングを、ユーザが指定する際の表示部の出力画面例を示す図である。
【図７】スキャンタイミングジェネレータとキーマトリクスの出力波形の一例を示すタイミングチャートである。
【図８】ユーザによる一連のキー操作若しくはキー操作の組み合わせに対応して登録される他のアプリケーション処理の分類と種別の具体例の説明に用いる図である。
【図９】図８に示した幾つかの効果分類及び効果種別に対応させて一連のキー操作を登録Ｒ１とＲ２として登録する場合の表示部の出力画面例を示す図である。
【図１０】図８に示した幾つかの効果分類及び効果種別に対応させて一連のキー操作を登録Ｒ３とＲ４として登録する場合の表示部の出力画面例を示す図である。
【図１１】電子メールの入力アプリケーションが起動し、画面上に表示されたメール本文入力エリア内に「操作Ｈ１」による文字が入力された状態の表示部の出力画面例を示す図である。
【図１２】「登録Ｒ１」として登録されている「操作Ｈ１」の一連のキー操作に基づいて、メール本文入力エリア内に文字列が入力された状態の表示部の出力画面例を示す図である。
【図１３】「登録Ｒ１」等の登録情報を予測変換候補表示エリア内に表示したときの表示部の出力画面例を示す図である。
【図１４】予測変換候補表示エリアから「登録Ｒ１」を選択したことで、メール本文入力エリア内に文字列が入力された状態の表示部の出力画面例を示す図である。
【図１５】画面上に表示されたメール本文入力エリア内に「操作Ｈ１」「操作Ｈ２」による文字が入力された状態の表示部の出力画面例を示す図である。
【図１６】「登録Ｒ２」として登録されている「操作Ｈ１」と「操作Ｈ２」の一連のキー操作に基づいて、文字入力モードが片仮名文字入力モードに切り替えられた後の表示部の出力画面例を示す図である。
【図１７】画面上に表示されたメール本文入力エリア内に「操作Ｈ２」による文字が入力された状態の表示部の出力画面例を示す図である。
【図１８】「登録Ｒ３」として登録されている「操作Ｈ２」の一連のキー操作に基づいて、電子メールの送信アプリケーション処理が実行されている状態の表示部の出力画面例を示す図である。
【図１９】画面上に表示されたメール本文入力エリア内に「操作Ｈ３」と「操作Ｈ３」による文字が入力された状態の表示部の出力画面例を示す図である。
【図２０】「登録Ｒ４」として登録されている「操作Ｈ３」と「操作Ｈ３」の一連のキー操作に基づいて、前画面に戻った状態の表示部の出力画面例を示す図である。
【図２１】一連のキー操作が操作登録辞書へ登録されるまでの制御部の処理を示すフローチャートである。
【図２２】一連のキー操作等が操作登録辞書へ登録された後の制御部の処理を示すフローチャートである。
【符号の説明】
【００８２】
１  携帯電話端末、２，１９  表示部、３，２１  スピーカ、４  キー、５，２２  マイクロホン、１１  アンテナ、１２  アンテナ共用器、１３  受信復調部、１４  受信データ復号部、１５  制御部、１６  送信データ符号化部、１７  送信復調部、１８  入力部、２０  データ格納部、２３  着信通知部、３０  キースキャンブロック、３１  スキャンタイミングジェネレータ、３２  キーマトリクス、４０  メール本文入力エリア、４１  未確定文字列、４２  カーソル、４３  予測変換候補表示エリア  ４４  送信ウィンドウ、４８  文字入力モード表示エリア
【図１】
2006332751.tif 000003
【図２】
2006332751.tif 000004
【図３】
2006332751.tif 000005
【図４】
2006332751.tif 000006
【図５】
2006332751.tif 000007
【図６】
2006332751.tif 000008
【図７】
2006332751.tif 000009
【図８】
2006332751.tif 000010
【図９】
2006332751.tif 000011
【図１０】
2006332751.tif 000012
【図１１】
2006332751.tif 000013
【図１２】
2006332751.tif 000014
【図１３】
2006332751.tif 000015
【図１４】
2006332751.tif 000016
【図１５】
2006332751.tif 000017
【図１６】
2006332751.tif 000018
【図１７】
2006332751.tif 000019
【図１８】
2006332751.tif 000020
【図１９】
2006332751.tif 000021
【図２０】
2006332751.tif 000022
【図２１】
2006332751.tif 000023
【図２２】
2006332751.tif 000024